(57)【要約】【課題】新たな問題点を招来することなしに、地中に埋設されたサドル分水栓の弁体による給水の開始と停止との切り換えが容易にできるようにする。【解決手段】給水の開始と停止とを切り換える弁体を有するサドル分水栓であって、上記弁体から延設された軸線回りに回転自在の栓棒を駆動する駆動装置を有し、上記駆動装置を遠隔操作によって駆動させると、上記駆動装置の駆動力によって上記栓棒が軸線回りに回転して上記弁体を回転させ、上記弁体の位置に応じて給水の開始と停止とが切り換わるようにした。【選択図】        図１
2004204940.tif 000002
【特許請求の範囲】
【請求項１】
給水の開始と停止とを切り換える弁体を有するサドル分水栓であって、
前記弁体から延設された軸線回りに回転自在の栓棒を駆動する駆動装置を有し、
前記駆動装置を遠隔操作によって駆動させると、前記駆動装置の駆動力によって前記栓棒が軸線回りに回転して前記弁体を回転させ、前記弁体の位置に応じて給水の開始と停止とが切り換わる
ことを特徴とするサドル分水栓。
【請求項２】
請求項１に記載のサドル分水栓において、
地中に埋設されたときに、前記栓棒の前記弁体が配設されている端部とは異なる端部を、一方の開口部から中空の内部空間に位置させるとともに、他方の開口部は地面近傍に位置させる作業用部材を有する
ことを特徴とするサドル分水栓。
【発明の詳細な説明】
【０００１】
【発明の属する技術分野】
本発明は、給水の開始と停止とを切り換える弁体を備えたサドル分水栓に関する。
【０００２】
【従来の技術】
従来より、水道管の本管に配設され、水道管の本管から分岐した給水用の配管に、水道管の本管から分水するサドル分水栓が知られている（例えば、特許文献１参照）。
【０００３】
【特許文献１】
実開昭５４−１７３３２０号公報（図１〜図２）
こうしたサドル分水栓には、回転自在に配設された弁体が備えられており、この弁体を回転して、水道管の本管から給水用の配管への給水の開始と停止とを切り換えるようになされている。
【０００４】
ここで、弁体が所定の位置に回転されて、水道管の本管から給水用の配管へ給水が行われているときに、宅地造成などの工事によって地中に埋設されている給水用の配管が損傷されると、当該損傷した給水用の配管から漏水してしまう。そこで、サドル分水栓の弁体を回転させて、水道管の本管から給水用の配管への給水を停止させる必要がある。
【０００５】
しかしながら、サドル分水栓は水道管の本管や給水用の配管とともに地中に埋設されているので、地中に埋設されているサドル分水栓の弁体を給水停止のために回転するには、サドル分水栓の周囲の地盤を掘削しなければならず、作業が大がかりになってしまうという問題点があった。
【０００６】
また、損傷した給水用の配管からの漏水を停止させるために、給水用の配管の周囲の地盤を掘削して給水用の配管自体を露出させて潰す場合もあるが、こうすると給水用の配管の損傷が大きくなるので、その後の各種施工が面倒になってしまったり、あるいは、水の出が悪化するなど新たな問題点を招来することとなっていた。
【０００７】
【発明が解決しようとする課題】
本発明は、従来の技術の有するこのような種々の問題点に鑑みてなされたものであり、その目的とするところは、新たな問題点を招来することなしに、地中に埋設されたサドル分水栓の弁体による給水の開始と停止との切り換えが容易にできるようにしたサドル分水栓を提供しようとするものである。
【０００８】
【課題を解決するための手段】
上記目的を達成するために、本発明のうち請求項１に記載の発明は、給水の開始と停止とを切り換える弁体を有するサドル分水栓であって、上記弁体から延設された軸線回りに回転自在の栓棒を駆動する駆動装置を有し、上記駆動装置を遠隔操作によって駆動させると、上記駆動装置の駆動力によって上記栓棒が軸線回りに回転して上記弁体を回転させ、上記弁体の位置に応じて給水の開始と停止とが切り換わるようにしたものである。
【０００９】
また、本発明のうち請求項２に記載の発明は、請求項１に記載の発明において、地中に埋設されたときに、上記栓棒の上記弁体が配設されている端部とは異なる端部を、一方の開口部から中空の内部空間に位置させるとともに、他方の開口部は地面近傍に位置させる作業用部材を有するようにしたものである。
【００１０】
従って、本発明のサドル分水栓によれば、地中に埋設されたサドル分水栓の周囲の地盤を掘削することなしに、栓棒を軸線回りに回転させて弁体を回転させることができるので、弁体による給水の開始と停止との切り換えを容易に行うことができる。
【００１１】
【発明の実施の形態】
以下、添付の図面に基づいて、本発明によるサドル分水栓の実施の形態の一例を詳細に説明するものとする。
【００１２】
ここで、図１には本発明によるサドル分水栓の実施の形態の一例を示す概略構成一部断面図が示されている。
【００１３】
このサドル分水栓１０は、ボルト１６とナット１８とによって水道管の本管１００の外周側に捲回されて固定的に配設されるバンド１２ならびにサドル１４と、サドル１４に載置され分水のための流路２０ａを備えた胴２０と、胴２０の流路２０ａ内に配設されたボール型の弁体２２と、弁体２２から延設され端部２４ａが胴２０の外部に位置する栓棒２４と、弁体２２を位置決めする押さえ部材２６と、押さえ部材２６の開口部２６ａを塞ぐキャップ２８と、栓棒２４の端部２４ａ近傍に配設された駆動装置３０とを有して構成されている。
【００１４】
なお、図１に示す状態は、既に、サドル分水栓１０の押さえ部材２６の開口部２６ａから穿孔機を挿入し、水道管の本管１００の外壁に孔１００ａを穿設する作業を完了している状態である。
【００１５】
ここで、胴２０の流路２０ａは、水道管の本管１００の孔１００ａに至る第１流路２０ｂと、第１流路２０ｂから側方に延長され胴２０の開口部２０Ｌにおいて開口する第２流路２０ｃとからなるものである。
【００１６】
そして、胴２０の開口部２０Ｌには、給水用の配管２００が配設される。また、胴２０の開口部２０Ｒ側には、弁体２２から延設された栓棒２４の端部２４ａが位置している。
【００１７】
この栓棒２４は、略円柱状体であって、軸線回りに回転自在にＯリング３２を介して胴体２０に配設されている。なお、符号３４は、胴２０の開口部２０Ｒに配設された保護ナットである。この保護ナット３４に栓棒２４の外周側に突設された止めピン２４ｃが係止されて、栓棒２４が胴体２０から抜け落ちるのが防止されている。
【００１８】
そして、栓棒２４は軸線回りに回転することによって、端部２４ｂ側のボール型の弁体２２を回転させて、弁体２２による水道管の本管１００から給水用の配管２００への給水の開始と停止との切り換えを行うものである。
【００１９】
より詳細には、栓棒２４を軸線回りに回転させることによって、弁体２２を所定の位置に回転させると、図１に示すように、胴２０の第１流路２０ｂと第２流路２０ｃとが連通し、水道管の本管１００から給水用の配管２００へ給水が可能な「開」の状態となる。こうした「開」の状態から、栓棒２４を軸線回りに回転させることによって、弁体２２を所定の位置に回転させると、図２に示すように、胴２０の第１流路２０ｂと第２流路２０ｃとが弁体２２によって遮断され、水道管の本管１００から給水用の配管２００へ給水が不可能な「閉」の状態となる。
【００２０】
そして、駆動装置３０は、上記したように栓棒２４の端部２４ａ近傍に配設されて、駆動装置３０の駆動力によって栓棒２４を軸線回りに回転させるものである。また、この駆動装置３０は、その駆動を遠隔操作によって制御可能となされている。こうした駆動装置３０としては、例えば、遠隔操作を行うための操作装置３００（図２参照）からの信号を受信して駆動の制御を行う制御手段を備えたモーターなどを用いることができる。
【００２１】
以上の構成において、本発明によるサドル分水栓１０を使用する場合には、まず、バンド１２ならびにサドル１４を、ボルト１６とナット１８とによって水道管の本管１００の外周側に捲回して固定的に配設する。それから、弁体２２が「開」の状態において、サドル分水栓１０の押さえ部材２６の開口部２６ａから穿孔機を挿入し、水道管の本管１００の外壁に孔１００ａを穿設する作業を行う。
その後、弁体２２を「閉」の状態にして、押さえ部材２６の開口部２６ａをキャップ２８によって塞ぎ、胴２０の開口部２０Ｌに給水用の配管２００を取り付ける。
【００２２】
それから、作業者は工具などによって栓棒２４の端部２４ａを把持して栓棒２４を軸線回りに回転させ、弁体２２を所定の位置に回転させて「開」の状態とする（図１に示す状態参照）。その結果、胴２０の第１流路２０ｂと第２流路２０ｃとが連通し、水道管の本管１００から給水用の配管２００へ給水が開始され、水道管の本管１００から分岐した給水用の配管２００に、水道管の本管１００から第１流路２０ｂならびに第２流路２０ｃを経由して分水される。なお、図１においては、「開」の状態のときの水の流れを破線矢印で示している。
【００２３】
こうして分水を行うサドル分水栓１０を、作業者は水道管の本管１００ならびに給水用の配管２００とともに地中に埋設する。ここで、水道管の本管１００は地面Ｇから数百ｃｍ（例えば、およそ１２０ｃｍ）の深さに位置するようにして埋設されるので、当該水道管の本管１００に配設されたサドル分水栓１０も地面Ｇから数百ｃｍの深さに位置するようになる。
【００２４】
そこで、サドル分水栓１０の栓棒２４の端部２４ａを被覆する作業用部材４０を取り付けて、サドル分水栓１０を地中に埋設する。この作業用部材４０は、略筒状体であって、一方の開口部４０ａをサドル分水栓１０の保護ナット３４に嵌合させ、他方の開口部４０ｂを地面Ｇ近傍に位置させて、開口部４０ｂが蓋４２によって封止された状態で、サドル分水栓１０とともに地中に埋設される。
【００２５】
従って、地中に埋設されたサドル分水栓１０の栓棒２４の端部２４ａは、地面Ｇから数百ｃｍの深さに位置しながらも、土に埋もれることなく作業用部材４０の中空の内部空間４０ｃ内に位置している。
【００２６】
そして、サドル分水栓１０の弁体２２が所定の位置に位置して「開」の状態ときに（図１に示す状態参照）、即ち、水道管の本管１００から給水用の配管２００へ給水が開始されているときに、宅地造成などの工事によって地中に埋設されている給水用の配管２００が損傷されると、当該損傷した給水用の配管２００（図２に示す損傷箇所Ｐ参照）から漏水してしまう。
【００２７】
そこで、作業者は、作業用部材４０の開口部４０ｂに位置する蓋４２の周囲の地盤を掘削して、蓋４２を開放する。この際、蓋４２は地面Ｇ近傍に位置しているので、作業者が地盤を掘削する深さは非常に浅くて済み、作業は非常に容易に行える。
【００２８】
こうして、蓋４２が開放されると、作業用部材４０の内部空間４０ｃは地上と連通する。そこで、作業者は操作装置３００を操作して、作業用部材４０の内部空間４０ｃに位置する栓棒２４の端部２４ａ近傍の駆動装置３０に所定の信号を送信する。なお、図２においては、操作装置３００から発振された所定の信号を一点鎖線で示している。
【００２９】
すると、この操作装置３００からの所定の信号を受信した駆動装置３０が駆動して、栓棒２４が軸線回りに回転し、弁体２２が所定の位置に回転されて「閉」の状態となる（図２に示す状態参照）。その結果、胴２０の第１流路２０ｂと第２流路２０ｃとが弁体２２によって遮断され、水道管の本管１００から給水用の配管２００へ給水が停止され、水道管の本管１００から分岐した給水用の配管２００には分水されなくなる。こうして、損傷した給水用の配管２００（図１に示す損傷箇所Ｐ参照）からの漏水が停止される。なお、図２においては、「閉」の状態のときの水の流れを破線矢印で示している。
【００３０】
上記したようにして、本発明によるサドル分水栓１０によれば、栓棒２４の端部２４ａ近傍に駆動装置３０を配設するようにしたため、作業者が弁体２２の回転を遠隔操作することができるようになり、地中に埋設されているサドル分水栓１０の弁体２２を給水停止のために回転するときも、サドル分水栓１０の周囲の地盤を掘削する必要がなく、地中に埋設されたサドル分水栓１０の弁体２２による給水の開始と停止との切り換えを容易に行うことができる。
【００３１】
こうした本発明によるサドル分水栓１０によれば、宅地造成などの工事によって地中に埋設されている給水用の配管２００が損傷されるような突発的な事故が起きても、サドル分水栓１０の周囲の地盤を掘削することなしに「閉」の状態にして漏水を停止できるので、短い作業時間で早急に対処することができる。そして、この際に掘削するのは地面Ｇ近傍に位置する蓋４２の周囲だけなので、小さな範囲を浅く掘削すれば済み、狭いスペースでも作業が可能であってしかも作業のための費用は少なくて済む。
【００３２】
また、本発明によるサドル分水栓１０によれば、地中に埋設されたサドル分水栓１０の弁体２２によって給水の開始と停止との切り換えが容易に行えるので、上記した「従来の技術」の項に記載したように、給水用の配管２００の周囲の地盤を掘削して給水用の配管２００自体を露出させて潰す必要もなく、その後の各種施工が面倒になってしまったり、あるいは、水の出が悪化するなどの新たな問題点は招来されない。
【００３３】
さらに、本発明によるサドル分水栓１０によれば、駆動装置３０や作業用部材４０を配設するだけでなので、公知のサドル分水栓の構成を大きく変更したり、あるいは、他の複雑な構成を付加する必要がなく、簡単な構成でしかも安価に製造することができる。
【００３４】
そして、本発明によるサドル分水栓１０においては、簡単な構成で、しかも栓棒２４を回転させて弁体２２を通常の動作と同様にして回転させることで給水を停止させるので、作業者は何ら複雑な作業を行うことなしに短時間で作業を行うことができ、また、作業者の技能によらず確実にそして安全に弁体２２による給水の開始と停止との切り換えができる。
【００３５】
また、上記した実施の形態は、以下の（１）乃至（６）に示すように変形してもよい。
【００３６】
（１）上記した実施の形態においては、作業用部材４０の蓋４２が地面Ｇ近傍に位置するようにしたが、これに限られるものではないことは勿論であり、作業用部材４０の蓋４２が地面Ｇに面一で位置しているようにしてもよい。このようにすると、掘削作業をすることなしに蓋４２を開放することができるので、より一層作業時間を短縮することができる。
【００３７】
また、作業用部材４０の蓋４２が地面Ｇ近傍に位置するときに、地中の蓋４２の位置を地上から探知可能なように蓋４２の材料を変更したり、あるいは、蓋４２に発振器を付加するなどしてもよい。
【００３８】
（２）上記した実施の形態においては、操作装置３００からの信号に基づいて駆動される駆動装置３０の駆動力によって栓棒２４を軸線回りに回転させるようにしたが、これに限られるものではないことは勿論であり、例えば、駆動装置３０に代わってワイヤー５０を栓棒２４の端部２４ａに配設してもよい（図３参照）。
【００３９】
こうしてワイヤー５０を配設した場合には、作業用部材４０の蓋４２が開放されて内部空間４０ｃと地上とが連通した状態で、ワイヤー５０の端部５０ａを作業者が把持して引っ張る。すると、栓棒２４が軸線回りに回転して、弁体２２を所定の位置に回転させて「閉」の状態とできる。
【００４０】
この際、ワイヤー５０が配設される栓棒２４の端部２４ａの形状を、ワイヤー５０の動きに追随し易い形状に変更するとよい。
【００４１】
また、栓棒２４の端部２４ａの形状に合わせた工具５２を用いて、作業用部材４０の蓋４２が開放されて内部空間４０ｃと地上とが連通した状態で、作業者が当該工具５２によって栓棒２４を軸線回りに回転させるようにしてもよい（図４参照）。このようにすると、サドル分水栓１０の弁体２２による給水の開始と停止との切り換えは、専用の工具５２でのみ行うことができるので、仮に作業用部材４０の蓋４２が開放されてしまっても、いたずらでサドル分水栓の弁体が回転されるのを防止できる。
【００４２】
さらには、栓棒２４自体が外部からの駆動力ではなく自律的に軸線回りに回転するように構成してもよい。そして、栓棒２４を軸線回りに回転させる手法に応じて、栓棒２４や弁体２２のなどの各種部材の材料を変更してもよい。
【００４３】
（３）上記した実施の形態においては、作業用部材４０の蓋４２を開放してから、操作装置３００からの信号によって栓棒２４を軸線回りに回転させるようにしたが、これに限られるものではないことは勿論であり、操作装置３００からの信号とこの信号を受信する駆動装置３０とを適宜変更して、作業用部材４０の蓋４２を開放することなしに、操作装置３００からの信号によって栓棒２４を軸線回りに回転させるようにしてもよい。
【００４４】
ここで、地中に埋設されている水道管の本管１００に複数のサドル分水栓１０が配設されている場合には、こうした複数のサドル分水栓１０のそれぞれを識別可能なように所定の番号を予め付与しておくとよい。そして、こうした識別番号を操作装置３００において入力可能なように変更し、複数のサドル分水栓１０のうちの所定のサドル分水栓１０を対象にした信号を操作装置３００から送信する。すると、送信された信号の識別番号に一致するサドル分水栓１０の駆動装置３０のみが駆動して、作業用部材４０の蓋４２を開放することなしに、所定のサドル分水栓１０の弁体２２による給水の開始と停止との切り換えを行うことができる。
【００４５】
（４）上記した実施の形態においては、略筒状体であって開口部４０ｂを地面Ｇ近傍に位置させる作業用部材４０を用いるようにしたが、これに限られるものではないことは勿論であり、サドル分水栓１０が埋設される場所などに応じて作業用部材の形状や取り付け位置などを変更したり、あるいは、作業用部材を取り付けないようにしてもよい。
【００４６】
例えば、図５に示すようなサドル分水栓１０の栓棒２４の端部２４ａを被覆するカバー状の作業用部材６０を取り付けてもよい。さらに、栓棒２４の端部２４ａ近傍に配設された駆動装置６２から延長されたケーブル６４を、給水用の配管２００に沿うようにして埋設する。そして、このケーブル６４の端部は、ジョイント部６４ａが形成されて、住宅などの宅地内の地面Ｇ近傍に埋設された操作用ボックス６６内に位置される。
【００４７】
そして、給水用の配管２００が損傷された場合には（図５に示す損傷箇所Ｐ参照）、作業者は宅地内の操作用ボックス６６を開放し、操作用のリモコン６８をケーブル６４のジョイント部６４ａとワンタッチ式で接続する。それから、作業者が操作用のリモコン６８を操作すると、駆動装置６２が駆動して、作業用部材６０内に端部２４ａが位置している栓棒２４が軸線回りに回転し、弁体２２が所定の位置に回転されて「閉」の状態となる。
【００４８】
こうして操作用ボックス６６を宅地内に埋設しておくと、サドル分水栓１０が道路側の地中に埋設されていても、作業者が駆動装置６２を遠隔操作するのに道路側の地盤を掘削する必要がない。また、作業用部材６０は作業用部材４０（図１参照）に比べて小型化することができ、ケーブル６４も給水用の配管２００に沿って埋設するので、道路側の地中に埋設する部材が少なくてすむ。
【００４９】
（５）上記した実施の形態においては、駆動装置３０などによって地中に埋設されたサドル分水栓１０の弁体２２を回転させる場合について説明したが、これに限られるものではないことは勿論であり、例えば、各種配管の回転可能な栓であって地中などに埋設されているものを動作させるときに駆動装置３０などを用いることができる。
【００５０】
（６）上記した実施の形態ならびに上記した変形例（１）乃至変形例（５）を、適宜組み合わせて構成してもよい。
【００５１】
【発明の効果】
本発明は、以上説明したように構成されているので、新たな問題点を招来することなしに、地中に埋設されたサドル分水栓の弁体による給水の開始と停止との切り換えが容易にできるようになるという優れた効果を奏する。
【図面の簡単な説明】
【図１】本発明によるサドル分水栓の実施の形態の一例で「開」の状態を示す概略構成一部断面図である。
【図２】図１に示すサドル分水栓が「閉」の状態を示す説明図である。
【図３】本発明によるサドル分水栓の実施の形態の他の例で「閉」の状態を示す説明図である。
【図４】本発明によるサドル分水栓の実施の形態の他の例で「閉」の状態を示す説明図である。
【図５】本発明によるサドル分水栓の実施の形態の他の例で「閉」の状態を示す説明図である。
【符号の説明】
１０      サドル分水栓
１２      バンド
１４      サドル
１６      ボルト
１８      ナット
２０      胴
２０ａ    流路
２０ｂ    第１流路
２０ｃ    第２流路
２０Ｌ，２０Ｒ      開口部
２２      弁体
２４      栓棒
２４ａ，２４ｂ      端部
２４ｃ    止めピン
２６      押さえ部材
２６ａ    開口部
２８      キャップ
３０，６２          駆動装置
３２      Ｏリング
３４      保護ナット
４０，６０          作業用部材
４０ａ，４０ｂ      開口部
４０ｃ    内部空間
４２      蓋
５０      ワイヤー
５２      工具
６４      ケーブル
６４ａ    ジョイント部
６６      ボックス
６８      リモコン
１００      水道管の本管
１００ａ    孔
２００      給水用の配管
３００      操作装置
【図１】
2004204940.tif 000003
【図２】
2004204940.tif 000004
【図３】
2004204940.tif 000005
【図４】
2004204940.tif 000006
【図５】
2004204940.tif 000007